【事件の表示】
　特願２０１３−１０３７９２「光学素子および表示装置」拒絶査定不服審判事件〔平成２６年１２月　４日出願公開、特開２０１４−２２４８９１、請求項の数（６）〕について、次のとおり審決する。
【結　論】
　原査定を取り消す。
　本願の発明は、特許すべきものとする。
【理　由】
第１　手続の経緯
　平成２５年　５月１６日　出願
　平成２９年　１月２７日　拒絶理由通知
　平成２９年　４月　６日　意見書、手続補正書
　平成２９年　５月３１日　拒絶査定（以下、「原査定」という。）
　平成２９年　８月２３日　審判請求書、手続補正書
　
第２　本願発明
　この出願の請求項１−６に係る発明（以下、それぞれ「本願発明１」−「本願発明６」という。）は、平成２９年４月６日付けの手続補正書により補正された特許請求の範囲の請求項１−６に記載された事項により特定される、次のとおりのものである。
　
「【請求項１】
　樹脂材料を含む第１透光性部材と、
　前記第１透光性部材の少なくとも１つの面に形成されたハーフミラー層と、
　を有し、
　前記ハーフミラー層は、
　銀層と、
　前記銀層と前記第１透光性部材との間に位置する第１誘電体多層膜と、
　前記銀層に対して前記第１透光性部材とは反対側に位置する第２誘電体多層膜と、
　を含み、
　前記第１誘電体多層膜は、
　前記銀層に接する第１酸化アルミニウム層と、
　前記第１酸化アルミニウム層に前記第１透光性部材側で接する酸化チタン層と、
　を含み、
　前記第２誘電体多層膜は、
　酸化ジルコニウムを含む酸化ジルコニウム系誘電体層と、
　前記酸化ジルコニウム系誘電体層に接する第２酸化アルミニウム層と、
　を含み、
　前記第２誘電体多層膜では、前記酸化ジルコニウム系誘電体層が前記銀層に接していることを特徴とする光学素子。
　　【請求項２】
　請求項１に記載の光学素子において、
　前記酸化ジルコニウム系誘電体層は、酸化ジルコニウムと酸化チタンとの混合膜であることを特徴とする光学素子。
　　【請求項３】
　請求項１または２の何れか一項に記載の光学素子において、
　前記第１誘電体多層膜は、前記酸化チタン層に対して前記第１酸化アルミニウム層とは反対側で接する第３酸化アルミニウム層を含むことを特徴とする光学素子。
　　【請求項４】
　請求項１乃至３の何れか一項に記載の光学素子において、
　前記第１酸化アルミニウム層は、前記銀層よりも膜厚が薄いことを特徴とする光学素子。
　　【請求項５】
　請求項１乃至４の何れか一項に記載の光学素子において、
　前記ハーフミラー層に対して前記第１透光性部材とは反対側に位置する第２透光性部材を有し、
　前記第２透光性部材は、前記第１透光性部材と同一の屈折率であることを特徴とする光学素子。
　　【請求項６】
　請求項１乃至５の何れか一項に記載の光学素子を備えた表示装置であって、
　画像光を出射する画像光出射装置を備え、
　前記光学素子は、前記画像光出射装置からの前記画像光が入射する光入射部と、前記光入射部から入射した前記画像光のうち少なくとも一部が前記ハーフミラー層で反射して出射される光出射部と、を備えていることを特徴とする表示装置。」
  
第３　原査定の概要
　原査定の拒絶の理由は概ね次のとおりである。
　
１　この出願の請求項１−３、５に係る発明は、引用文献１に記載された発明、及び引用文献２−４に示される周知技術に基づいて、その出願前にその発明の属する技術の分野における通常の知識を有する者（以下、「当業者」という。）が容易に発明をすることができたものであるから、特許法第２９条第２項の規定により特許を受けることができない。
　
２　この出願の請求項６に係る発明は、引用文献１に記載された発明、引用文献５に記載された発明、及び引用文献２−４に示される周知技術に基づいて、その出願前に当業者が容易に発明をすることができたものであるから、特許法第２９条第２項の規定により特許を受けることができない。
　
引用文献等一覧 
１．特開２０１２−２４２６７４号公報
２．特許第４４８２９７１号公報（周知技術を示す文献）
３．特開昭５７−１３０００１号公報（周知技術を示す文献）
４．特開昭６３−２４９９４５号公報（周知技術を示す文献）
５．特開平１１−２４９０６７号公報
　
第４　当審の判断
１　引用文献の記載
（１）原査定の拒絶の理由に引用された上記引用文献１（特開２０１２−２４２６７４号公報）には、次の事項が記載されている（下線は当審にて付した。）。
　
　ア　「【請求項１】
　
光半透膜を介して接合された少なくとも二つの光学素子からなるビームスプリッタであって、
　
第一の光学素子と、
　
前記第一の光学素子側から順に設けられた、
下引き層と、前記下引き層に接して設けられたＡｇからなる反射層と、前記反射層に接して設けられた
上引き層と、ＳｉＯ
２
＋Ｌａ
２
Ｏ
３
の複合酸化物膜と、Ａｌ
２
Ｏ
３
層と、からなる光半透膜と、
　
接着層と、
　
第二の光学素子と、
を有するビームスプリッタ。
【請求項２】
  
第一および第二の光学素子が、樹脂性の基材からなることを特徴とする請求項１記載のビームスプリッタ。
　（中略）
【請求項５】
　
前記下引き層および前記上引き層は、前記Ａｇからなる反射層に接するＡｌ
２
Ｏ
３
層および、そのＡｌ
２
Ｏ
３
層に接するＴｉＯ
２
層からなることを特徴とする請求項１から４のいずれか一項記載のビームスプリッタ。
　
　イ　「【０００１】
　本発明は、カメラ、複写機、プロジェクタ、ディスプレイ等に用いられる、入射した光を分割するためのビームスプリッタに関するものであり、特には光学特性が良好なＡｇ層を有する光半透膜に関するものである。
　（中略）
【発明が解決しようとする課題】
【００１３】
　Ａｇは光学特性の優れた材料であるものの、湿気による光学面の外観の劣化など光学特性の低下が生じやすい。
【００１４】
　これら外観の劣化は、水分の存在下でのＡｇイオンのマイグレーションと推測され、膜の微小クラック、接合面の微小な付着物等をトリガーとする透湿や硫黄Ｓや塩素Ｃｌによる汚染によって更に加速される。
【００１５】
　本発明は、基材、接着剤からのＡｇ層への透湿を防ぎ、高温高湿環境下においても所望の透過率、反射率の特性を維持したまま、外観劣化を抑えたビームスプリッタを得るものである。
　（中略）
【発明の効果】
【００２１】
　本発明の構成とすることにより、基板、接着剤からのＡｇ層への透湿を防ぎ、高温高湿環境下においても所望の透過率、反射率の特性を維持したまま、外観劣化を低減したビームスプリッタを得ることが出来る。」 
　
　ウ　「【発明を実施するための形態】
【００２３】
　本発明のビームスプリッタの膜構成断面の模式図を図１に示す。樹脂製のプリズム形状の第一の光学素子１に、真空蒸着法等の成膜法によりＡｇ層を含む光半透膜３を設け、ＵＶ硬化樹脂等の接着層４により他方の樹脂製のプリズム２と接合し、ビームスプリッタを形成した。
【００２４】
　
樹脂製の基材としては、アクリル、ポリカーボネート
等を用いることが出来る
【００２５】
　光半透膜３は電子銃蒸発源、蒸着等を用いて無加熱（＝基板温度が室温から±２０℃の範囲）で形成される。基板側より順次、比較的高い屈折率を有する膜としてＴｉＯ２膜５（可視光に対し屈折率約．２．２）、中間的な屈折率を有する膜としてＡｌ２Ｏ３膜６（可視光に対し屈折率約１．６）からなる下引き層、Ａｇ層よりなる反射層７、Ａｌ２Ｏ３膜８、ＴｉＯ２膜９よりなる上引き層、更に吸湿性を示すＳｉＯ２＋Ｌａ２Ｏ３の複合酸化物膜１０と緻密な膜質により透湿防止性を示すＡｌ２Ｏ３膜よりなる保護層１１を設ける。
【００２６】
　下引き層、上引き層の膜厚は所望の透過率、反射率を得るために適宜決めることが出来る。又、所望の透過率、反射率に応じて下引き層、上引き層の層数を適宜決めることが出来る。
【００２７】
　
比較的高い屈折率を有する膜としてはＴｉＯ
２
ＺｒＯ
２
等の材料、又はこれらの混合物から選択することが出来る
中間的な屈折率を有する膜としてＡｌ
２
Ｏ
３
膜が好適である
【００２８】
　吸湿性を示す膜としては、ＳｉＯ２、スピネル、ＭｇＯ、ＺｎＯ、ＣａＯ、ＳｒＯ、ＢａＯ、Ｙ２Ｏ３、Ｌａ２Ｏ３、Ｓｍ２Ｏ３からなる少なくとも一つの材料を含むことが好ましく、ＳｉＯ２＋Ｌａ２Ｏ３の複合酸化物膜が好適である。Ｌａ２Ｏ３のＳｉＯ２に対する比率としては、Ｌａ２Ｏ３が５〜３０ｗｔ％が好ましい。５ｗｔ％より小さい場合は硫黄（Ｓ）、塩素（Ｃｌ）によるＡｇ層の劣化を防止する効果が少なく、３０ｗｔ％より大きい場合は、接合後に高温高湿環境下でクラック、膜浮き等が発生し易くなる。又、膜厚（幾何学的膜厚、ｄ）は２０〜８０ｎｍが好ましい。２０ｎｍより小さい場合は吸湿によるＡｇ層の劣化を防止する効果が少なく、８０ｎｍより大きい場合は所望の分光特性を得るのが難しくなり、密着不良が発生し易くなる。
【００２９】
　透湿防止膜としてはＡｌ２Ｏ３膜が好適である。その膜厚（ｄ）は２０〜１００ｎｍが好ましい。２０ｎｍより小さい場合は透湿防止によるＡｇ層の劣化を防止する効果が少なく、１００ｎｍより大きい場合は所望の分光特性を得るのが難しくなり、接合後、高温高湿環境下でクラックを発生し易い。
【００３０】
　又、透湿防止層としては膜密度が高いことが好ましく、成膜方法として、イオンプレーティング、イオンビームアシストを付加してもよく、スパッタ法を用いることも出来る。吸湿層としてはＨ２Ｏ分子をとりこみやすい膜密度が低い膜であることが好ましく、通常の蒸着法で形成することが出来る。
【００３１】
　接着剤は、シリコン系、エポキシ系、ウレタン系、アクリル系、オレフィン系接着剤等を用い、粘着硬化、２液硬化、紫外線硬化等により接合することが出来る。
【００３２】
　Ａｇ層の膜厚は特に限定されないが、良好な光半透膜を得るためには１ｎｍ〜５０ｎｍ程度に設けると良い。
【００３３】
　本発明で用いる膜材料の高温高湿環境後の吸湿性を図２に示す。図２の棒グラフは各材料に対応しており、縦軸の左に付した数字は成膜時の真空度、横軸は成膜後の真空中での光学膜厚を１００％としたときの、大気開放後（真／大気）、及び６０℃９０％１００Ｈ後（大気／１００Ｈ）の光学膜厚の増分（Δｎｄ％）を示す。図２において、光学膜厚の増分は水分の吸湿の影響を示す。例えば、真空度５×１０−３Ｐａの室温で成膜されたＳｉＯ２＋Ｌａ２Ｏ３膜（Ｌａ２Ｏ３のＳｉＯ２に対する比率１０ｗｔ％）は、真空から大気開放された時に約７％の光学膜厚の変化を示し、６０℃９０％１００Ｈの高温高湿環境後は更に約５％の光学膜厚の変化を生じる。これはＡｌ２Ｏ３膜の高温高湿環境後の挙動と好対照であり、ＳｉＯ２＋Ｌａ２Ｏ３膜の吸湿性、Ａｌ２Ｏ３膜の非吸湿性を示すものである。ただし無加熱成膜したＡｌ２Ｏ３膜の表面に生じるマイクロクラックなど、局所的な欠陥がＡｌ２Ｏ３膜に生じた場合は、欠陥のあるポイントから透湿が起こりえる。無加熱成膜されたＡｌ２Ｏ３膜が有する、局所的な透湿が起こるものの吸湿性が低いという性質を活用し、ＳｉＯ２＋Ｌａ２Ｏ３複合酸化膜とＡｌ２Ｏ３膜とをＡｇ層側から順に互いに隣接して設け、保護層とすることで透湿を防止する。
【００３４】
　尚、ＴｉＯ２膜はその中間に位置付けられる。
【００３５】
　ビームスプリッタの湿気に対する光学特性の信頼性をさらに高めるために、接着剤側に接する保護層を透湿防止層／吸湿層／透湿防止層の３層以上としたり、又、接着剤側だけでなく基材側にも保護層を設けたりすると、さらにＡｇ層に対する透湿防止効果が高まり有効である。本発明に特徴的な光半透膜を有するビームスプリッタは樹脂プリズムを採用するにあたり特に有効であるが、ガラスプリズムを用いてももちろん良い。」
　
　エ　「【００３６】
　（実施例１）
　基板として、アモルファスポリオレフィン樹脂プリズム（ＺＥＯＮＥＸ  Ｅ４８Ｒ）を用い、基板側から順にＴｉＯ２膜、Ａｌ２Ｏ３膜の２層からなる下引き層、Ａｇ層、Ａｌ２Ｏ３膜、ＴｉＯ２膜の２層からなる上引き層、ＳｉＯ２＋Ｌａ２Ｏ３膜（Ｌａ２Ｏ３のＳｉＯ２に対する比率１０ｗｔ％）、Ａｌ２Ｏ３膜の２層からなる保護層を無加熱蒸着法（蒸着法）により設けた。この光半透膜を成膜したプリズムと他方のアモルファスポリオレフィン樹脂プリズムとを紫外線硬化型アクリル系接着剤により接合し、ビームスプリッタを形成した。各成膜時の真空度は、ＴｉＯ２膜は１×１０−２Ｐａ（酸素導入）、Ａｌ２Ｏ３膜は５×１０−３Ｐａ（酸素導入）、Ａｇ層は１×１０−３Ｐａ以下、ＳｉＯ２＋Ｌａ２Ｏ３膜は５×１０−３Ｐａ（酸素導入）とした。保護層のＡｌ２Ｏ３膜は透湿防止層、ＳｉＯ２＋Ｌａ２Ｏ３膜は吸湿層の役割を果たす。Ａｇ層に接するＡｌ２Ｏ３膜も透湿防止層として有効である。
【００３７】
　膜構成を表１に、分光特性を図３に示す。
　（中略）
【００４０】
　　
 」
 
　オ　「【００４１】
　（実施例２）
　実施例１と同様の成膜条件にて、下引き層、Ａｇ層、上引き層を設け、更にＡｌ２Ｏ３膜、ＳｉＯ２＋Ｌａ２Ｏ３膜（Ｌａ２Ｏ３のＳｉＯ２に対する比率１０ｗｔ％）、Ａｌ２Ｏ３膜の３層からなる保護層を無加熱蒸着法により設け、ビームスプリッタを形成した。
【００４２】
　膜構成を表２、このときの分光特性を図４に示す。
　（中略）
【００４４】
　　
」
　
　カ　「【００４５】
　（実施例３）
　実施例１と同様の成膜条件にて、プリズム側からＡｌ２Ｏ３膜、ＳｉＯ２＋Ｌａ２Ｏ３膜（Ｌａ２Ｏ３のＳｉＯ２に対する比率１０ｗｔ％）の保護層を設けてから、下引き層、Ａｇ層、上引き層を設け、更にＳｉＯ２＋Ｌａ２Ｏ３膜（Ｌａ２Ｏ３のＳｉＯ２に対する比率１０ｗｔ％）、Ａｌ２Ｏ３膜の２層からなる保護層を無加熱蒸着法により設け、ビームスプリッタを形成した。
【００４６】
　膜構成を表３、このときの分光特性を図５に示す。
　（中略）
【００４８】
　　
」
　
　キ　上記アないしカ（特にアとウ）によると、引用文献１には、ビームスプリッタとして、以下の発明が記載されていると認められる（以下、「引用発明」という。）。
　
　「光半透膜を介して接合された少なくとも二つの光学素子からなるビームスプリッタであって、
　アクリル等の樹脂性の基材からなる第一の光学素子と、
　前記第一の光学素子側から順に設けられた、Ａｇからなる反射層に接するＡｌ２Ｏ３層および、そのＡｌ２Ｏ３層に接するＺｒＯ２層からなる下引き層と、前記下引き層に接して設けられた前記Ａｇからなる反射層と、前記Ａｇからなる反射層に接するＡｌ２Ｏ３層および、そのＡｌ２Ｏ３層に接するＺｒＯ２層からなる上引き層と、ＳｉＯ２＋Ｌａ２Ｏ３の複合酸化物膜と、Ａｌ２Ｏ３層と、からなる光半透膜と、
　接着層と、
　アクリル等の樹脂性の基材からなる第二の光学素子と、
を有するビームスプリッタ。」
　
（２）原査定の拒絶の理由に引用された上記引用文献２（特許第４４８２９７１号公報）には、次の事項が記載されている。
　
　「【０００３】
特に全ての波長で均等に反射率の高い銀を用いた金属膜は、耐湿性が乏しいため、長時間の使用により、酸化が進み、黒く変色して反射率が低下してしまったり、銀膜の密着性が劣化し、膜そのものが剥離してしまうという問題点があった。
そこで、非晶質樹脂基板とアルミニウム膜との密着性を向上させて膜剥離を防ぐ手段として、特開平８−３２７８０９にはニッケル・クロム層を単層で下地層として設けることが開示されている。しかし、アルミニウムに比べ可視域全体にわたり反射の高い銀反射膜については、密着力を向上させるための有力な手段がいまだない。また、銀反射膜の上に酸化ジルコニウムや酸化アルミニウムの保護層を設けて、銀反射膜の耐久性を向上することも試みられている。」
　
（３）原査定の拒絶の理由に引用された上記引用文献３（特開昭５７−１３０００１号公報）には、次の事項が記載されている。
　
　「２．特許請求の範囲
（１）　透明な第１プリズムの斜面に、第１誘電体薄膜層、第２金属薄膜層、第３誘電体薄膜層を順次蒸着し、しかる後に屈折率が前記第１プリズムに等しく且つ透明なる第２プリズムを接着剤で前記第１プリズムの斜面に接合して成るビームスプリッターに於いて、前記第２金属薄膜層は銀であり、前記第１誘電体薄膜層及び第３誘電体薄膜層は酸化チタンと酸化ジルコニウムから成る混合膜層で、且つ第１誘電体薄膜層と第３誘電体薄膜層の膜厚がほぼ等しいことを特徴とする低偏光色消しビームスプリッター。」
　
（４）原査定の拒絶の理由に引用された上記引用文献４（特開昭６３−２４９９４５号公報）には、次の事項が記載されている。
　
　ア　「また、第２図に上記無偏光ビームスプリッタ３の断面模式図を示す。第２図において、３１，３２はプリズムであり、前記プリズム３１の斜辺上に順に誘電体薄膜３３，銀膜３４，誘電体薄膜３５を蒸着し、接着剤３６によりプリズム３２と接着されている。」（第３頁左上欄第９行−第１４行）
　
　イ　「次に前記無偏光ビームスプリッタ３の実際の膜構成例を２つ示す。誘電体薄膜３３，３５に光学的膜厚２４５ｎｍの酸化ジルコニウム，銀膜３４の幾何学的膜厚を２４ｎｍとしたものの分光特性図を第４図に示す。」（第３頁左下欄第１６行−第２０行）
　
（５）原査定の拒絶の理由に引用された上記引用文献５（特開平１１−２４９０６７号公報）には、次の事項が記載されている。
　
　「【００１７】
【発明の実施の形態】図１は本発明のハーフミラーを用いた観察系の実施形態１の光路を示す要部断面図である。
【００１８】図中、５は観察者、３は表示手段であり、液晶表示素子等から成り、可視域の映像情報を表示している。表示手段３は、例えばＣＤ−ＲＯＭやビデオカメラ等の映像情報供給手段（不図示）からの信号に基づいて映像情報を表示している。
【００１９】Ｐは観察光学系であり、プリズム体より成る拡大用の光学素子１とシースルー用のプリズム体２とを有している。光学素子１は平面、又は球面より成る入射面１ａ、平面、球面又はトーリック飛球面より成る一部に全反射を利用した前面１ｂ、そして平面、球面又はトーリック面より成る反射面１ｃより成っている。
【００２０】プリズム体２は外景の画像情報からの光束を入射させる平面、球面又はトーリック面より成る入射面２ａと光学素子１の反射面１ｃと同形状の平面、球面又はトーリック面より成る出射面２ｂとを有している。
【００２１】光学素子１の反射面１ｃ又はプリズム体２の出射面２ｂはハーフミラー面となっている。本実施形態では反射面１ｃをハーフミラー面としている。ハーフミラー面は基板面上に複数の金属膜と複数の誘電体膜からなっている。４は外景の画像情報である。６は光軸（中心軸）であり、これは眼球５ａの光軸と一致している。表示手段３から眼球５ａに至る光路中の各要素で、表示手段３で表示した映像情報の虚像を観察している。
【００２２】光学素子１とプリズム体２はアクリル樹脂、ポリカーボネート樹脂、ポリオレフィン樹脂等のプラスチック樹脂材料によって一体成形している。本実施形態では表示手段３で表示された映像情報に基づく光束（可視光束）を光学素子１にその入射面１ａより導入している。そして光学素子１の前面１ｂで全反射させた後に、ハーフミラー面１ｃで反射集光して前面１ｂを通過させて観察者５の眼球５ａに導光している。」
　
２　本願発明１について
（１）対比
　本願発明１と引用発明とを対比する。
　
　ア　引用発明の「アクリル等の樹脂性の基材からなる第一の光学素子」は、本願発明１の「樹脂材料を含む第１透光性部材」に相当する。
　
　イ　引用発明の「光半透膜」は、第一の光学素子側から順に設けられた複数の層を有するから、本願発明１の「前記第１透光性部材の少なくとも１つの面に形成されたハーフミラー層」に相当する。
　
　ウ　引用発明の「光半透膜」は、「Ａｇからなる反射層」と、「Ａｇからなる反射層」と「第一の光学素子」との間に位置する「下引き層」と、「Ａｇからなる反射層」に対して「第一の光学素子」とは反対側に位置する「上引き層」を含むといえる。また、引用発明の「下引き層」は、「Ａｇからなる反射層に接するＡｌ２Ｏ３層」と、「そのＡｌ２Ｏ３層に」第一の光学素子側で「接するＺｒＯ２層」を含む誘電体多層膜であり、引用発明の「上引き層」は、「ＺｒＯ２層」と、「ＺｒＯ２層」に接する「Ａｌ２Ｏ３層」を含む誘電体多層膜であるといえる。さらに、引用発明の「下引き層」の「ＺｒＯ２層」は、酸化チタン層と同様に、金属酸化物層である。
　そうすると、引用発明において、「光半透膜」は、「前記第一の光学素子側から順に設けられた、Ａｇからなる反射層に接するＡｌ２Ｏ３層および、そのＡｌ２Ｏ３層に接するＺｒＯ２層からなる下引き層と、前記下引き層に接して設けられた前記Ａｇからなる反射層と、前記Ａｇからなる反射層に接するＡｌ２Ｏ３層および、そのＡｌ２Ｏ３層に接するＺｒＯ２層からなる上引き層と、ＳｉＯ２＋Ｌａ２Ｏ３の複合酸化物膜と、Ａｌ２Ｏ３層と、からなる」ことと、本願発明１において、「前記ハーフミラー層は、銀層と、前記銀層と前記第１透光性部材との間に位置する第１誘電体多層膜と、前記銀層に対して前記第１透光性部材とは反対側に位置する第２誘電体多層膜と、を含み、前記第１誘電体多層膜は、前記銀層に接する第１酸化アルミニウム層と、前記第１酸化アルミニウム層に前記第１透光性部材側で接する酸化チタン層と、を含み、前記第２誘電体多層膜は、酸化ジルコニウムを含む酸化ジルコニウム系誘電体層と、前記酸化ジルコニウム系誘電体層に接する第２酸化アルミニウム層と、を含」むことは、共に、「前記ハーフミラー層は、銀層と、前記銀層と前記第１透光性部材との間に位置する第１誘電体多層膜と、前記銀層に対して前記第１透光性部材とは反対側に位置する第２誘電体多層膜と、を含み、前記第１誘電体多層膜は、前記銀層に接する第１酸化アルミニウム層と、前記第１酸化アルミニウム層に前記第１透光性部材側で接する金属酸化物層と、を含み、前記第２誘電体多層膜は、酸化ジルコニウムを含む酸化ジルコニウム系誘電体層と、前記酸化ジルコニウム系誘電体層に接する第２酸化アルミニウム層と、を含」む点で共通する。
　
　エ　引用発明の「ビームスプリッタ」は、以下の相違点１及び２を除いて、本願発明１の「光学素子」に相当する。
　
　オ　以上によれば、両者は以下の点で一致する。
＜一致点＞
　「樹脂材料を含む第１透光性部材と、
　前記第１透光性部材の少なくとも１つの面に形成されたハーフミラー層と、
　を有し、
　前記ハーフミラー層は、
　銀層と、
　前記銀層と前記第１透光性部材との間に位置する第１誘電体多層膜と、
　前記銀層に対して前記第１透光性部材とは反対側に位置する第２誘電体多層膜と、
　を含み、
　前記第１誘電体多層膜は、
　前記銀層に接する第１酸化アルミニウム層と、
　前記第１酸化アルミニウム層に前記第１透光性部材側で接する金属酸化物層と、
　を含み、
　前記第２誘電体多層膜は、
　酸化ジルコニウムを含む酸化ジルコニウム系誘電体層と、
　前記酸化ジルコニウム系誘電体層に接する第２酸化アルミニウム層と、
　を含む、
　光学素子。」 
　
　カ　他方、両者は以下の点で相違する。
＜相違点１＞
　本願発明１においては、「第１誘電体多層膜」が「酸化チタン層」を含むのに対し、引用発明においては、「下引き層」が「ＺｒＯ２層」を含む点。
　
＜相違点２＞
　本願発明１においては、「第２誘電体多層膜では、前記酸化ジルコニウム系誘電体層が前記銀層に接している」のに対し、引用発明においては、「上引き層」では、「Ａｌ２Ｏ３層」が「Ａｇからなる反射層」に接している点。
　
 （２）判断 
　事案に鑑み、相違点２について検討する。 
　引用文献１には、上引き層のＡｌ２Ｏ３層（酸化アルミニウム層）がＡｇからなる反射層に接する態様のものが記載されているだけであり、上引き層のＴｉＯ２層（酸化チタン層）又はＺｒＯ２層（酸化ジルコニウム層）がＡｇからなる反射層に接する態様のものは記載されていない。
　また、引用文献１に、上引き層の（中間的な屈折率を有する）Ａｌ２Ｏ３層と（比較的高い屈折率を有する）ＴｉＯ２層又はＺｒＯ２層の位置を変更してもよいということは記載されていないし、屈折率の異なる層の位置を変更するとその光学特性が変化してしまうことからすると、引用発明において、上引き層のＡｌ２Ｏ３層とＺｒＯ２層の位置を変更することは想定されておらず、上引き層のＡｌ２Ｏ３層とＺｒＯ２層の位置を変更する動機付けがあるとはいえない。
　さらに、引用文献２−５にも、Ａｌ２Ｏ３層とＴｉＯ２層又はＺｒＯ２層からなる誘電体多層膜をＡｇからなる反射層に接して設ける場合に、ＴｉＯ２層又はＺｒＯ２層がＡｇからなる反射層に接するようにすることは記載されていない。
　そうすると、引用発明、引用文献２−４に示される周知技術、引用文献５に記載された発明に基づいて、相違点２に係る本願発明１の構成を得ることは、当業者が容易になし得たことであるとはいえない。 
　したがって、相違点１について判断するまでもなく、本願発明１は、引用発明、引用文献２−４に示される周知技術、引用文献５に記載された発明に基づいて、当業者が容易に発明をすることができたものであるとはいえない。 
　
３　本願発明２ないし６について  
　請求項２ないし６は、請求項１を直接又は間接的に引用するから、本願発明２ないし６は、上記本願発明１についての判断と同様の理由により、引用発明、引用文献２−４に示される周知技術、引用文献５に記載された発明に基づいて、当業者が容易に発明をすることができたものであるとはいえない。
　
第５　むすび
　以上のとおり、原査定の理由によっては本願を拒絶することはできない。
　また、他に本願を拒絶すべき理由を発見しない。
　よって、結論のとおり審決する。